(57)【特許請求の範囲】
【請求項１】
ダイヤルイン機能により１つの回線で複数の電話番号を有し、このいずれかの電話番号を設定された親機と子機とからなり、前記親機は、前記電話番号を検知する検知手段と、この検知手段が検知した電話番号により、その電話番号が設定された親機または子機を鳴動させる鳴動手段と、ファクシミリ通信手段とを有し、子機の電話番号宛にファクシミリ通信がなされた場合、前記子機とは別の電話番号を設定された親機が受信することを特徴とするファクシミリ機能を有する電話機。
【請求項２】
前記親機はファクシミリ受信のあった電話番号の装置を表示する表示手段と、受信した電文をプリント出力するかメモリ受信するかを設定するファクシミリ受信モード設定手段と、メモリ受信に設定されている場合、ファクシミリ受信のあった電話番号の装置を表示手段に表示させ、その表示した装置からプリント要求のあったときは記録紙に出力させ、メモリ受信に設定されていないときは、受信した電文を直ちに記録紙に出力させる制御手段とを備えていることを特徴とする請求項１記載のファクシミリ機能を有する電話機。
【発明の詳細な説明】
【０００１】
【発明の属する技術分野】
本発明はダイヤルイン機能により複数の電話番号を有する親機と子機からなる電話機に関する。
【０００２】
【従来の技術】
近年家庭用の電話機にコードレスの子機が１つまたは複数備えられ、各部屋毎に電話機を設定することができるようになっている。しかし回線は１回線であるため、電話番号は１つであり、電話がかかってくると親機および全ての子機が鳴動するようになっており、最初に受話器を取った所で該当する装置に転送するようになっている。
【０００３】
【発明が解決しようとする課題】
このように受話器を取っても他の装置に転送しなければならない場合が多く、使い易い装置ではなかった。また転送操作を誤って通信が切断されることもしばしば発生していた。このため発呼者がＤＴＭＦ信号（２つの周波数を組み合わせて数字、英字、記号を表す信号で通常の電話機では１２種類を使用する）を送出することによって、特定の子機を鳴動させることができる装置もあるが、これは相手操作者にＤＴＭＦ信号を送出させる動作を必要とするため、一般の電話機用として使用され難い。
【０００４】
本発明は、上述の問題点に鑑みてなされたもので、１本の回線に複数の電話番号を設け、親機、子機をそれぞれの電話番号で操作するようにした電話機を提供することを目的とする。また、親機にファクシミリ機能を設け子機の電話番号でファクシミリ通信があっても親機が受信できるようにすることを目的とする。
【０００５】
【課題を解決するための手段】
本発明の電話機において、ダイヤルイン機能により１つの回線で複数の電話番号を有し、このいずれかの電話番号を設定された親機と子機とからなり、前記親機は、前記電話番号を検知する検知手段と、この検知手段が検知した電話番号により、その電話番号が設定された親機または子機を鳴動させる鳴動手段と、ファクシミリ通信手段とを有し、子機の電話番号宛にファクシミリ通信がなされた場合、前記子機とは別の電話番号を設定された親機が受信することを特徴とする。
この本発明によれば、検知された電話番号の装置のみが鳴動するので、親機、子機をそれぞれ独立した電話機のように使用することができるうえ、子機の電話番号でファクシミリ通信要求がきた場合は代わって親機が受信することができる。
【０００６】
【発明の実施の形態】
請求項１の発明では、ダイヤルイン機能により１つの回線で複数の電話番号を有し、このいずれかの電話番号を設定された親機と子機とからなり、前記親機は、前記電話番号を検知する検知手段と、この検知手段が検知した電話番号により、その電話番号が設定された親機または子機を鳴動させる鳴動手段と、ファクシミリ通信手段とを有し、子機の電話番号宛にファクシミリ通信がなされた場合、前記子機とは別の電話番号を設定された親機が受信する。
【００２０】
ダイヤルイン機能により親機、子機に電話番号を設け、親機にのみファクシミリ機能を設ける。しかし子機の電話番号でファクシミリ通信要求がきた場合は親機が受信する。これにより親機のファクシミリ装置が有効に利用される。
【００２１】
請求項２の発明では、前記親機はファクシミリ受信のあった電話番号の装置を表示する表示手段と、受信した電文をプリント出力するかメモリ受信するかを設定するファクシミリ受信モード設定手段と、メモリ受信に設定されている場合、ファクシミリ受信のあった電話番号の装置を表示手段に表示させ、その表示した装置からプリント要求のあったときは記録紙に出力させ、メモリ受信に設定されていないときは、受信した電文を直ちに記録紙に出力させる制御手段とを備えている。
【００２２】
ファクシミリ通信は親機や子機に設定された電話番号に対して送信されるが、親機が受信する。この場合受信のあった電話番号を表示手段に表示できるようにし、受信のあった電話番号に応じて表示手段にその電話番号の装置を表示させるか、記録紙に出力させる。例えば親機にきたファクシミリは記録紙に出力するが子機にきたファクシミリは表示を行う。これにより通信の機密性を保ことができる。
【００２３】
以下、本発明の実施の形態について図面を参照して説明する。図１は本発明の実施の形態の構成を示すブロック図である。１は網制御装置で発呼、復旧、ダイヤル等の回線交換網の接続制御機能を有する。２は電話機で親機に付く。３は電話番号検知部で数字と英文字、記号を２種類の周波数を組み合わせて表示するＤＴＭＦ信号を検知する。ＣＰＵ４はＲＯＭ５に記憶されたプログラムに基づき全体を制御する。ＲＡＭ６はＣＰＵ４の作業エリアとして使用され、また電話番号に対応したエリアを設け留守番電話の伝言および伝言をさせるための案内を記憶する。７は子機制御部で無線により接続された子機８との通信を制御する。９は表示手段で留守番電話があった場合やファクシミリ通信があった場合の宛先の電話番号の装置（親機、子機）を表示する。１０はファクシミリ装置で親機にのみ付いており、子機の電話番号に送信されてくる場合も全て受信する。１１は番号設定手段で、ダイヤルイン機能を用いるため１回線に複数個設けられた電話番号を親機２，子機３に設定する。この設定の変更もできる。また子機８からの設定または変更もできる。１２は伝言再生手段で留守番電話の伝言を再生する。１３はファクシミリ受信モード設定手段でメモリ受信と、直ちに記録紙に出力する一般受信のいずれかを設定する。以上１〜１２のうち子機８を除く装置を親機１４と言う。
【００２４】
次に第１実施の形態として留守番電話の記録、再生、消去について説明する。図２は伝言の記憶フロー図である。なお、電話番号は親機１４、子機８用としてＡ，Ｂ２つの番号が設定されたとして説明するが、それ以上の電話番号がある場合も同様である。親機１４がＡ，子機８がＢとする。なお、伝言をさせるための案内メッセージ（ＯＧＭ）は予めＲＡＭ６に記憶されている。
【００２５】
まず着信したかを監視し（Ｓ１）、着信するとダイヤルイン１次応答信号を出力する（Ｓ２）。これは回線を一度捕捉する動作である。この後、ＤＴＭＦ信号が送出されてくる。これは電話番号の下４桁を表す。この下４桁を内線指定番号とする。この内線指定番号により電話番号ＡかＢに着信したのを調べる（Ｓ３）。電話番号Ａの場合は、親機１３は受信モードでさらに留守録音モードになっているものとする（Ｓ４）。親機１４はダイヤル２次応答信号を送出する（Ｓ５）。２次応答信号は捕捉した回線を一旦離す動作であり、この後再度捕捉する。この捕捉により電話番号Ａで着信したことになる（Ｓ６）。以上がダイヤルイン受信の動作であり、この着信以降はダイヤルインを用いない通常の着信動作である。次に電話番号Ａ用に予め録音した留守録音案内メッセージ（ＯＧＭ）を送出し（Ｓ７）、相手からの伝言メッセージ（ＩＣＭ）を録音する（Ｓ８）。この録音をＲＡＭ６の電話番号Ａ用に定めたエリアに登録する（Ｓ９）。以上はステップＳ３で内線指定番号がＡの場合であるが、Ｂの子機８の場合も同様である。なお、子機８の場合も、ダイヤルイン応答、ＯＧＭ送出、ＩＣＭ録音、ＲＡＭ６への登録は親機側で行う。
【００２６】
図３は図２で説明した録音メッセージを再生する時の動作フロー図である。伝言が録音されると親機１４の表示手段９にどの電話番号の装置に伝言があるか表示される。この表示は着信した電話番号の子機８にも表示される。再生操作は伝言の録音されている親機１４や子機８からの操作によって行われ、再生音は子機８の場合は親機１４より子機８へ伝送される。
【００２７】
再生操作が行われた場合、その操作は電話番号Ａの親機１４から行われたか電話番号Ｂの子機８から行われたかを調べ（Ｓ１１）、親機１４から行われた場合、電話番号Ａとして登録されている伝言の先に登録されたものから順に再生する（Ｓ１２）。再生を始めると停止要求があるか調べ（Ｓ１３）、なければ最後の伝言まで再生が終了したか調べ、終了していれば再生を終了する（Ｓ１４）。再生停止要求があれば再生を停止する（Ｓ１５）。以上は電話番号Ａの親機１４から再生操作が行われた場合であるが、電話番号Ｂの子機８から行われた場合も同様である。このように伝言の宛先の装置からの要求によってのみ再生が行われるので通信の機密性が保たれる。
【００２８】
次に伝言を消去する場合について説明する。伝言の消去も伝言の宛先からの操作によってのみ消去される。図４は伝言の消去フローを示す。伝言消去操作がなされると、操作元は電話番号Ａか否か調べ（Ｓ３１）、電話番号Ａからの操作であれば、電話番号Ａとして登録された伝言を消去する（Ｓ３２）。また電話番号Ｂからの操作であれば電話番号Ｂとして登録されていた伝言を消去する（Ｓ３３）。これにより、各電話番号の装置の独立性が高まる。
【００２９】
次に第２実施の形態について説明する。本実施の形態は１つの回線でダイヤルイン機能により複数の電話番号を設け、親機で各電話番号の留守録音ができるようにし、子機を複数の電話番号のいずれにも設定できるようにしたものである。電話番号はＡ，Ｂ２つとして説明するが２つ以上でも実施可能である。
【００３０】
図５は第２実施の形態の外観図を示す。ダイヤルイン機能により１回線で２つの電話番号を有する場合について説明する。２つ以上の場合も同様である。親機１４は、例えば家庭用電話番号Ａが設定され、子機８の１つには店用電話番号Ｂが設定される。いずれの電話番号へきた伝言も親機１４が録音し、どの装置に伝言があったかを表示する表示手段９を有する。親機１４は家庭用の電話番号Ａにかかってきた電話はハンドセット１５により受信する。親機１４にはファクシミリ装置が設けられており、親機１４、子機８に送信されてきたファクシミリ通信は親機１４が受信し、表示手段９に受信宛先の電話番号の装置が表示される。電話番号の設定や変更は、親機１４では番号設定手段１１により行われ、子機８では子機８に設けられたモード切り換えスイッチ１６により行われる。自己の電話番号を使用状況に応じて家庭用電話番号Ａまたは店用電話番号Ｂまたはその両方Ａ，Ｂに設定する。両方の電話番号を設定したときは、いずれの電話番号の着信にも応答できる。また子機８には表示部１７があり、伝言のある場合およびファクシミリ受信の有る場合それぞれ色の異なる表示灯により表示する。なお、電話番号の設定は親機１４からでも設定できる。
【００３１】
図６は電話番号を設定または変更するフロー図である。設定は電話番号を設定する装置（親機、子機）が自分で行う。まず親機１４が家庭用電話番号Ａを設定する場合について説明する。電話番号Ａ，Ｂを切り換えるモードになっているかをまず調べ（Ｓ４０）、切換モードになっていれば、電話番号Ａの登録かを調べる（Ｓ４１）。電話番号Ａの登録であれば、親機１４または子機８から操作しているのか調べ（Ｓ４２）、操作元を認識し、電話番号Ａを操作元の親機１４に登録する（Ｓ４３）。また電話番号ＡでなくＢを登録するのであれば（Ｓ４１）、操作元がどこであるか認識し（Ｓ４４）、操作元（例えば子機８）に電話番号を登録する。なお、子機８は電話番号のＡ，Ｂ２個より多くてもよく、各子機８についてＡ，ＢいずれかまたはＡ，Ｂの両方を設定する。ＡＢ両方の番号を設定した場合、どちらの番号に対する着信にも応答することができる。
【００３２】
図７は電話番号の登録をしたメモリを示す図である。親機１４は電話番号Ａに設定し、複数の子機８は電話番号ＡまたはＢ、またはＡとＢの両方に設定されている。
【００３３】
次にファクシミリ受信について説明する。
親機には図１に示すようにファクシミリ装置１０が設けられており、電話番号Ａ，Ｂのいずれで送信されてきた電文も受信する。受信には一般受信とメモリ受信があり、一般受信の場合は着信した電文は直ちに記録紙に出力する。メモリ受信は親展受信と称し、着信した電話番号ＡまたはＢからの要求によりプリントアウトを行う。メモリ受信を設定した場合は、さらに各電話番号ごとにパスワードを設定し、受信電文をプリント要求するときは要求元のパスワードを入力し、このパスワードが電話番号ごとに設定したパスワードと一致した時、記録紙への出力を行い、電文の秘密を保持できるようにする。つまり要求のあったときのみ記録紙に出力するので第三者の目に触れることを防止することができる。
【００３４】
図８はファクシミリ受信時の動作フロー図である。電話番号Ａで着信した場合を示すが、電話番号Ｂの場合も同様である。ファクシミリ着信を示すＣＮＧ信号を検出してファクシミリ受信に入る（Ｓ５０）。メモリ受信の設定がされているか調べ（Ｓ５１）、設定されていなければ一般受信であるので記録紙に受信電文を出力する（Ｓ５２）。またメモリ受信が設定されていれば、電話番号Ａのパスワードが設定済みか調べ（Ｓ５３）、設定されていなければ一般受信として記録紙に出力する（Ｓ５２）。電話番号Ａのパスワードが設定されている場合、メモリ受信モードに入り（Ｓ５４）、受信した電文を電話番号Ａの電文としてメモリに登録する（Ｓ５５）。受信終了後電話番号Ａへのファクシミリ受信があった旨の表示灯を点灯する（Ｓ５６）。
【００３５】
図９はメモリ受信した電文をプリントアウトする動作フロー図である。該当する電話番号の表示灯がメモリ受信した旨を表示している場合、その電話番号の利用者はパスワードによりメモリ受信した電文を記録紙に出力することができる。メモリ受信した電文を記録紙に出力させるための取り出し操作としてパスワードが入力されたかを監視し（Ｓ６０）、入力されると、そのパスワードは電話番号Ａのものか調べ（Ｓ６１）、電話番号Ａのものであれば電話番号Ａとして登録されたメモリ受信を記録紙に出力する（Ｓ６２）。またパスワードが電話番号Ａのものでなければ電話番号Ｂのものであるか調べ（Ｓ６３）、電話番号Ｂのものであれば電話番号Ｂとして登録されたメモリ受信を記録紙に出力する（Ｓ６４）。これにより宛先以外の人の目にふれないように電文をプリントでき通信の機密を保つことができる。
【００３６】
【発明の効果】
以上の説明より明らかなように、本発明は、ダイヤルインの機能を利用して親機、子機に複数の電話番号を設定し、１台の電話機でそれぞれの通信の機密性を保持した複数の電話機と同様な働きをすることができる。例えば２世帯の家族、または店舗と住居が一緒の家などに好適な電話機であり、１台の電話機に２種類の電話番号を設定し、それぞれの電話番号に対応した子機または親機の鳴動、留守番電話の設定を独立に行うことができ、大変効率的な電話機を家庭へ提供することができる。また店舗、家庭で兼用して使用する時は、子機の電話番号を切り替えて、子機を店舗用、家庭用、もしくはその両方のものとして使用することができ、使い勝手のよい子機とすることができる。また親機にファクシミリ機能も設け、メモリ受信を行い、宛先の電話番号別に記憶し、宛先の電話番号側の操作により記録紙に出力できるので通信の機密性を保持することができる。
【図面の簡単な説明】
【図１】本発明の実施の形態を示すブロック図
【図２】留守番電話の記憶フロー図
【図３】留守番電話の再生フロー図
【図４】留守番電話の消去フロー図
【図５】電話番号切り替え可能な電話機の説明図
【図６】電話番号の設定または変更のフロー図
【図７】電話番号を登録したメモリの説明図
【図８】ファクシミリ受信の動作フロー図
【図９】メモリ受信の記録紙への出力を示す動作フロー図
【符号の説明】
３  ＤＴＭＦ検知部
４  ＣＰＵ
５  ＲＯＭ
６  ＲＡＭ
７  子機制御部
８  子機
９  表示手段
１０  ファクシミリ装置
１１  番号設定手段
１２  伝言再生手段
１３  ファクシミリ受信モード設定手段
１４  親機
【図１】
0003708202.tif 000002
【図２】
0003708202.tif 000003
【図３】
0003708202.tif 000004
【図４】
0003708202.tif 000005
【図５】
0003708202.tif 000006
【図６】
0003708202.tif 000007
【図７】
0003708202.tif 000008
【図８】
0003708202.tif 000009
【図９】
0003708202.tif 000010